(57)【要約】      （修正有）【課題】動画と静止画を同時に表示することができ、アピール効果の高い小型ビジュアルスタンド看板装置を提供する。【解決手段】箱体２と、箱体前面の上部に取り付けられ、箱体に内蔵されたコンピュータ及びインターネットに接続されたサーバーにより管理されるマルチプレゼンテーションシステムを実行することにより動画を表示する液晶モニター３と、箱体前面の下部に取り付けられ静止画像を表示する表示板４とを備えたことを特徴とする小型ビジュアルスタンド看板装置。【選択図】図１
0003110220.tif 000002
【実用新案登録請求の範囲】
【請求項１】
箱体と、箱体前面の上部に取り付けられ、箱体に内蔵されたコンピュータ及びインターネットに接続されたサーバーにより管理されるマルチプレゼンテーションシステムを実行することにより動画を表示する液晶モニターと、箱体前面の下部に取り付けられ静止画像を表示する表示板とを備えたことを特徴とする小型ビジュアルスタンド看板装置。
【請求項２】
前記表示板が、文字、図形を表示する内照式ＬＥＤにより構成されていることを特徴とする請求項１記載の小型ビジュアルスタンド看板装置。
【請求項３】
前記箱体がボンデ合板で製作されており、前記箱体の底面は金属板からなり、この金属板に支えられて金属軸が垂直方向に取り付けられていることを特徴とする請求項１記載の小型ビジュアルスタンド看板装置。
【請求項４】
前記箱体の側面にスピーカーが取り付けられていることを特徴とする請求項１記載の小型ビジュアルスタンド看板装置。
【請求項５】
前記箱体の内面に断熱材が付設されており、また、前記箱体内には放熱ファンが取り付けられており、さらに、漏電遮断機が内蔵されていることを特徴とする請求項１記載の小型ビジュアルスタンド看板装置。
【請求項６】
箱体と、箱体前面の上部に取り付けられた液晶モニターと、箱体前面の下部に取りつけられ静止画像を表示する表示板とからなり、前記液晶モニターを、インターネットに接続されたサーバーにより管理され、箱体に内蔵されたコンピュータを介して駆動することを特徴とする小型ビジュアルスタンド看板表示システム。
【考案の詳細な説明】
【技術分野】
【０００１】  本考案は小型ビジュアルスタンド看板装置及びシステムに関する。
【背景技術】
【０００２】  一般に移動式或いは据置式広告宣伝用看板として用いられる電照式看板装置は、印刷フイルム張り付けや描画等により表面に文字、図形、写真等の画像を形成した半透明の表示板と、この表示板を照明する蛍光灯からなっている。この電照式看板装置によって価格表及び店の名称等が表示される。
また、移動式看板として、箱体と該箱体の前面に取り付けられ、他の場所に設けられたコンピュータに接続され動画を表示し、動態広告表示を行なう液晶フラットパネルディスプレイやプラズマディスプレイを具えた移動式マルチメディア看板も知られている。
【考案の開示】
【考案が解決しようとする課題】
【０００３】  上記の電照式看板装置における画像は静止パターンであり、人の注目度は必ずしも高いとは言えない。
また、従来の液晶ディスプレイあるいはプラズマディスプレイは一般的に装置が大きく、広いスペースとコストも高く導入面で負担となっている。
本考案は上記事情に鑑みてなされたもので、広告用として高級感を有し注目度を獲得することのできる安価な移動式看板装置を適用することを目的とする。
【課題を解決するための手段】
【０００４】  本考案によれば、箱体と、箱体前面の上部に取り付けられ、箱体に内蔵されたコンピュータ及びインターネットに接続されたサーバーにより管理されるマルチプレゼンテーションシステムを実行することにより動画を表示する液晶モニターと、箱体全面の下部に取り付けられ静止画像を表示する表示板とを備えた小型ビジュアルスタンド看装置が提供される。
また、本考案によれば、箱体と、箱体前面の上部に取り付けられた液晶モニターと、箱体前面の下部に取りつけられ静止画像を表示する表示板とからなり、前記液晶モニターを、インターネットに接続されたサーバーにより管理され、箱体に内蔵されたパーソナルコンピュータを介して駆動する小型ビジュアルスタンド看板表示システムが提供される。
【考案の効果】
【０００５】  本考案の小型ビジュアルスタンド看板装置は、箱体前面に液晶モニターが取り付けられ、かつ該液晶モニターが内蔵されたコンピュータ及びインターネットを介したサーバーにより管理されるマルチプレゼンテーションシステムを実行することにより液晶表示パネルによる動画を表示する映像により人の注意を強く喚起することができ、小型ビジュアルスタンド看板装置全体としての注目度を高め、広告宣伝効果を高めることができる。
また、表示板として内照式ＬＥＤ光源を使用する場合には、魅力ある映像、品位ある静止文字、画像を表示することができ、この液晶モニター動画と静止画像パターンとの一体化により看板表示面としての融合した独特の雰囲気を作り、相乗的な効果が得られ街の人々に効果的にアピールすることができる。
【考案を実施するための最良の形態】
【０００６】  以下、本考案を図面に示す実施例に基づいて説明する。
図１は本考案一実施例の小型ビジュアルスタンド看板装置の斜視図であり、図２は看板装置の側面図であり、図３は側面の断面図である。【０００７】  看板装置１は、箱体２、箱体２の前面上部に取りつけられた液晶モニター３及び箱体２の前面下部に取りつけられた表示板４で構成されている。この１の大きさについては特別の制限はないが、容易に移動可能とするために、一例を挙げると縦１３０ｃｍ、横４５ｃｍ、奥行き４５ｃｍ等の流線型の直方体形状である。箱体２は強度のある材料、例えばボンデ合板で形成されていることが好ましい。【０００８】  看板装置１は、その底面後部の両側にキャスター５を取り付けることが、屋内外への移動を容易にするために好ましい。また、看板装置１の底面前部には、高さ調整用のネジ６を設けることが好ましい。【０００９】  箱体２の底面には、箱体２の転倒防止のために、金属板７で構成されていることが好ましい。さらに、この金属板７に支承された垂直な金属軸８を設け、この金属軸８に固定された支持枠９によって液晶モニター３を支持することが好ましい。【００１０】  箱体２の内部には液晶モニター３を駆動するコンピュータ１０が設置されている。このコンピュータ１０は、有線装置によって、同じく図示を省略する管理用のサーバーにインターネットを介して接続されている。この液晶モニター３によって、時間、場所、機会（ＴＰＯ）に即した情報が提供される。【００１１】  箱体２の前面下部に取り付けられている静止画像を表示する表示板４は、多数の発光ダイオード（ＬＥＤ）で構成されていることが、鮮明な表示をすると共に発熱量を低減させる観点から、好ましい。この表示板によって、価格、名称、案内等の文字・画像が表示される。
なお、この液晶モニター３は、箱体２の背面にも設置することができる。【００１２】  箱体２の側面にはスピーカー１１を取り付け、液晶モニター３に表示される動画にマッチした音楽等を流すことができる。【００１３】  該液晶モニター３で放送する広告画面はサーバーから配信されるマルチプレゼンテーションシステムにより設定され個別に処理製作する面倒と不便をなくし、一方でクライアントが独自に処理製作して変更使用することも可能とし、このため比較的変化弾力性を有する。【００１４】  箱体２の内壁には、結露防止の為、断熱材１２を貼り付けることが好ましい。また、箱体２の内部には、箱体２内部の温度が上昇した場合、サーモスタットによりオン・オフする放熱ファンを設置することができる。さらに、箱体２の内部には、風雨の激しいときに、漏電を感知して電源を遮断する漏電遮断機を設置することもできる。
【図面の簡単な説明】
【００１５】
【図１】本考案の一実施例を示す小型ビジュアルスタンド看板装置の斜視図、
【図２】側面図、
【図３】図２の断面図である。
【符号の説明】
【００１６】  １  小型ビジュアルスタンド看板装置
２  箱体
３  液晶モニター表示板
４  表示板
５  キャスター
６  ネジスチール支柱
７  金属板
８  金属軸
９  支持枠
１０  コンピュータ
１１  スピーカー
１２  断熱材
【図１】
0003110220.tif 000003
【図２】
0003110220.tif 000004
【図３】
0003110220.tif 000005